(57)【要約】【課題】機種別の遊技関連情報の合計や遊技台全体の遊技関連情報の合計（全体情報）を把握した上で、機種別の遊技関連情報の詳細や遊技台別の遊技関連情報の詳細（詳細情報）との比較検討を容易に行うことができるような遊技台管理装置を提供する。【解決手段】管理している遊技台のうち、同一機種に属する遊技台に関する遊技関連情報の合計を全機種について機種別一覧として表示させると共に、管理している全体の遊技台に関する遊技関連情報の合計を表示させた状態から、選択された機種に属する遊技台に関する遊技関連情報の詳細を表示させる制御を行い、また選択された遊技台に関する遊技関連情報の詳細を表示させる制御を行う。【選択図】　　　図４
2004121408.tif 000002
【特許請求の範囲】
【請求項１】
遊技台における遊技に関連して発生する遊技関連情報を管理する遊技台管理装置であって、
前記管理している遊技台のうち、同一機種に属する遊技台に関する遊技関連情報の合計を全機種について機種別一覧として表示させる制御を行うと共に、前記管理している全体の遊技台に関する遊技関連情報の合計を表示させる制御を行う表示制御手段と、
該表示制御手段の制御により前記機種別一覧に表示された機種の中から希望する機種を選択するための機種選択手段と、
希望する遊技台を選択するための遊技台選択手段と、を備え、
前記表示制御手段は、前記機種選択手段による選択結果に基づいて、該選択された機種に属する遊技台に関する遊技関連情報の詳細を表示させる制御を行い、前記遊技台選択手段による選択結果に基づいて、該選択された遊技台に関する遊技関連情報の詳細を表示させる制御を行うことを特徴とする遊技台管理装置。
【請求項２】
請求項１に記載した遊技台管理装置であって、
前記表示制御手段は、前記機種別一覧を表示させる制御を行う際に、前記同一機種に属する遊技台の台数を含んで表示させる制御を行うことを特徴とする遊技台管理装置。
【請求項３】
請求項１又は２に記載した遊技台管理装置であって、
前記表示制御手段は、前記機種選択手段による選択結果に基づいて、該選択された機種に属する遊技台に関する遊技関連情報の詳細と、該選択された機種に属する遊技台に関する遊技関連情報の合計を、一画面中に表示させる制御を行うと共に、該表示された詳細と合計のうち遊技場にとって不利益となる値を区分して表示させる制御を行うことを特徴とする遊技台管理装置。
【請求項４】
請求項１〜３のいずれか１つに記載した遊技台管理装置であって、
前記遊技台における遊技に関連する売上情報を算出する算出手段をさらに備え、
前記表示制御手段は、前記算出手段による算出結果に基づいて、機種又は遊技台の順序を並び替えて表示させる制御を行うことを特徴とする遊技台管理装置。
【請求項５】
請求項１〜４のいずれか１つに記載した遊技台管理装置であって、
前記遊技台のタイプを設定するためのタイプ設定手段をさらに備え、
前記表示制御手段は、前記タイプ設定手段による設定に基づいて、該設定されたタイプ別に区分して該タイプに属する全体の遊技台に関する遊技関連情報の合計を表示させる制御を行うことを特徴とする遊技台管理装置。
【発明の詳細な説明】
【０００１】
【発明の属する技術分野】
本発明は、遊技台における遊技に関連して発生する遊技関連情報を管理する遊技台管理装置に係り、特に機種別の遊技関連情報の合計や遊技台全体の遊技関連情報の合計を表示した画面から、希望する機種や希望する遊技台を選択することにより、該選択した機種別の遊技関連情報の詳細や遊技台別の遊技関連情報の詳細を表示させることができる遊技台管理装置に関する。
【０００２】
【従来の技術】
従来より、遊技台における遊技に関連して発生する遊技関連情報を管理する遊技台管理装置において、遊技台の台番号順に遊技関連情報が表示され、希望する遊技台の台番号の入力に基づいて、該入力された台番号の遊技台に関する遊技関連情報の詳細が表示されるものが知られている（例えば特許文献１を参照）。
【０００３】
【特許文献１】
特開平７−８６１９号公報（第２３頁，第２２図）
【０００４】
【発明が解決しようとする課題】
しかしながら、前記遊技台管理装置では、機種別の遊技関連情報の合計や遊技台全体の遊技関連情報の合計（全体情報）を表示させた状態から、機種別の遊技関連情報の詳細や遊技台別の遊技関連情報の詳細（詳細情報）を表示させることができないため、該全体情報に対して詳細情報を比較検討する際の作業効率が悪いという問題があった。
【０００５】
本発明は、このような背景のもとになされたものであり、その目的は、機種別の遊技関連情報の合計や遊技台全体の遊技関連情報の合計（全体情報）を把握した上で、機種別の遊技関連情報の詳細や遊技台別の遊技関連情報の詳細（詳細情報）との比較検討を容易に行うことができるような遊技台管理装置を提供することにある。
【０００６】
【課題を解決するための手段】
本発明は、前記課題を解決するために、次のような手段を採る。
【０００７】
まず請求項１に係る発明は、遊技台における遊技に関連して発生する遊技関連情報を管理する遊技台管理装置であって、前記管理している遊技台のうち、同一機種に属する遊技台に関する遊技関連情報の合計を全機種について機種別一覧として表示させる制御を行うと共に、前記管理している全体の遊技台に関する遊技関連情報の合計を表示させる制御を行う表示制御手段と、該表示制御手段の制御により前記機種別一覧に表示された機種の中から希望する機種を選択するための機種選択手段と、希望する遊技台を選択するための遊技台選択手段と、を備え、前記表示制御手段は、前記機種選択手段による選択結果に基づいて、該選択された機種に属する遊技台に関する遊技関連情報の詳細を表示させる制御を行い、前記遊技台選択手段による選択結果に基づいて、該選択された遊技台に関する遊技関連情報の詳細を表示させる制御を行うことを特徴とする遊技台管理装置である。
【０００８】
また請求項２に係る発明は、請求項１に記載した遊技台管理装置であって、前記表示制御手段は、前記機種別一覧を表示させる制御を行う際に、前記同一機種に属する遊技台の台数を含んで表示させる制御を行うことを特徴とする遊技台管理装置である。
【０００９】
また請求項３に係る発明は、請求項１又は２に記載した遊技台管理装置であって、前記表示制御手段は、前記機種選択手段による選択結果に基づいて、該選択された機種に属する遊技台に関する遊技関連情報の詳細と、該選択された機種に属する遊技台に関する遊技関連情報の合計を、一画面中に表示させる制御を行うと共に、該表示された詳細と合計のうち遊技場にとって不利益となる値を区分して表示させる制御を行うことを特徴とする遊技台管理装置である。
【００１０】
また請求項４に係る発明は、請求項１〜３のいずれか１つに記載した遊技台管理装置であって、前記遊技台における遊技に関連する売上情報を算出する算出手段をさらに備え、前記表示制御手段は、前記算出手段による算出結果に基づいて、機種又は遊技台の順序を並び替えて表示させる制御を行うことを特徴とする遊技台管理装置である。
【００１１】
さらに請求項５に係る発明は、請求項１〜４のいずれか１つに記載した遊技台管理装置であって、前記遊技台のタイプを設定するためのタイプ設定手段をさらに備え、前記表示制御手段は、前記タイプ設定手段による設定に基づいて、該設定されたタイプ別に区分して該タイプに属する全体の遊技台に関する遊技関連情報の合計を表示させる制御を行うことを特徴とする遊技台管理装置である。
【００１２】
【発明の実施の形態】
以下、本発明の実施の形態を、図面を参照して説明する。本発明に係る遊技台管理装置３０は、遊技台における遊技に関連して発生する遊技関連情報を管理するものであり、特に機種別の遊技関連情報の合計や遊技台全体の遊技関連情報の合計を表示した画面（図４を参照）から、希望する機種や希望する遊技台を選択することにより、該選択した機種別の遊技関連情報の詳細（図５を参照）や遊技台別の遊技関連情報の詳細（図６を参照）を表示させることができるものである。
【００１３】
本発明に係る遊技台管理装置３０を含む遊技用管理システム１は、図１に示すように、遊技場内の遊技島２に設けられる台端末１０と、遊技場内の所定箇所（例えば管理事務所等）に設けられる中継コンピュータ２０と、遊技場内の所定箇所（例えば管理事務所等）に設けられる遊技台管理装置３０からなり、台端末１０は中継コンピュータ２０を介して遊技台管理装置３０と通信可能に接続されている。
【００１４】
ここで台端末１０は、複数のパチンコ台Ｐ及び玉貸ユニットＵに対応して設けられ、該対応するパチンコ台Ｐ及び玉貸ユニットＵと予め定められた所定の順序で接続可能な複数の接続端子（ここでは４つの接続端子Ａ，Ｂ，Ｃ，Ｄ）を有し、各接続端子に割り当てられた各パチンコ台Ｐ及び玉貸ユニットＵから遊技関連情報を収集して中継コンピュータ２０に送信するものである。また中継コンピュータ２０は、台端末１０から送信された遊技関連情報を中継して遊技台管理装置３０に送信するものである。
【００１５】
なお１台の遊技台管理装置３０には最高で１０台の中継コンピュータ２０を接続可能であり、１台の中継コンピュータ２０には最高で４４台の台端末１０を接続可能であり、１台の台端末１０には最高で４台のパチンコ台Ｐ及び玉貸ユニットＵを接続可能である。また台端末１０には、後述する貨幣を収集して保管する金庫や、後述するパチンコ玉を計数する計数機や、後述するプリペイドカードを販売する販売機も接続可能である。
【００１６】
遊技場内に設けられる遊技島２においては、パチンコ台Ｐ及び玉貸ユニットＵが所定の位置に配置されている。ここで遊技島２は島番号（１番島，２番島…）により識別可能とされており、パチンコ台Ｐは台番号（１番台，２番台…）により識別可能とされている。この図１に示す例では、１番島において、左端から右端に向けて１番台〜１０番台（ただし４番台と９番台は欠番）の８台のパチンコ台Ｐ及び玉貸ユニットＵが配置されている。また１番島の背後に設けられた２番島において、折り返して右端から左端に向けて１１番台〜２０番台（ただし１４番台と１９番台は欠番）の８台のパチンコ台Ｐ及び玉貸ユニットＵが配置されている。なお３番島以下においても、前記１番島及び２番島に準じて、パチンコ台Ｐ及び玉貸ユニットＵが所定の位置に配置されている。そして各パチンコ台Ｐ及び玉貸ユニットＵは、台番号が若い順に４台毎に、各台端末１０の各接続端子Ａ，Ｂ，Ｃ，Ｄに接続されている。
【００１７】
以下、図１に示す各構成要素について説明する。パチンコ台Ｐは遊技台の一例であって、遊技媒体であるパチンコ玉を遊技領域に打ち込むことにより遊技を行うものであり、遊技領域には、始動入賞口，大入賞口，一般入賞口等の複数の入賞口や、複数種類の識別情報である図柄を可変表示可能な可変表示装置等が設けられている。
【００１８】
このパチンコ台Ｐからは、遊技関連情報として、以下に説明するスタート信号，特賞信号，確変信号，アウト玉信号，及びセーフ玉信号の各種の信号が出力される。
【００１９】
具体的には、まず遊技領域に打ち込まれて遊技に使用されたパチンコ玉（以下「打込玉」という。）が始動入賞口に入賞した場合には、可変表示装置の可変表示が開始されて所定時間の経過後に該可変表示が停止すると共に、該可変表示の停止を特定可能な情報として、１パルスのスタート信号が出力される。
【００２０】
また可変表示装置の表示結果が予め定められた所定態様となった場合には、遊技者にとって有利な遊技状態（いわゆる特賞＝大当り）が発生して、閉成されていた大入賞口が開成されて前記打込玉が大入賞口に入賞可能になると共に、該特賞の発生を特定可能な情報として、該特賞の発生から終了までの間において継続的な特賞信号が出力される。
【００２１】
また可変表示装置の表示結果が予め定められた特別の所定態様となった場合には、前記特賞の発生確率が通常確率から高確率に変動する確率変動状態（以下単に「確変」という。）が発生して、該確変の発生を特定可能な情報として、該確変の発生から終了までの間において継続的な確変信号が出力される。なお確変信号は、パチンコ台ＰがいわゆるＣＲ機である場合にのみ出力され、パチンコ台Ｐがいわゆる現金機である場合には出力されない。この確変は、初回の特賞の発生を含めて例えば合計２回の特賞が発生することにより通常確率に復帰して終了すると共に、該２回目の特賞が前記特別の所定態様となった場合には、該確変が継続（いわゆる連チャン）する。
【００２２】
なお各入賞口に入賞した打込玉及びいずれの入賞口にも入賞しなかった打込玉は、パチンコ台Ｐの背後に設けられたアウトタンクに導かれ、該アウトタンクに付設された打込玉カウンタにて打込玉数が計数されると共に、該打込玉数を特定可能な情報として、１０個のパチンコ玉が計数される毎に１パルスのアウト玉信号が出力される。
【００２３】
また補給樋からパチンコ台Ｐに対してパチンコ玉が補給された場合には、該補給樋に付設された補給玉カウンタにて補給玉数が計数されると共に、該補給玉数を特定可能な情報として、１０個のパチンコ玉が計数される毎に１パルスのセーフ玉信号が出力される。なお遊技の結果として遊技者の所有となったパチンコ玉は、遊技島２の端部や中央部等に設けられた計数機にて計数される。
【００２４】
ここで遊技台はパチンコ台Ｐには限られず、遊技者所有の有価価値（例えばメダル）を賭数として使用することで遊技が可能となり、複数種類の識別情報を可変表示可能な可変表示装置を含み、該可変表示装置の表示結果が導出表示されることにより１ゲームが終了すると共に、予め定められた所定条件を満たすときに、遊技者にとって有利な遊技状態である第１の特別遊技状態（いわゆるビッグボーナス）と、該第１の特別遊技状態とは異なる遊技者にとって有利な遊技状態である第２の特別遊技状態（いわゆるレギュラーボーナス）が発生するパチスロ台でも良い。このパチスロ台からは、遊技関連情報として、前記ゲーム数を特定可能なスタート信号，前記ビッグボーナスの発生を特定可能な特賞信号，前記レギュラーボーナスの発生を特定可能なＲＥＧボーナス信号，該ビッグボーナス及びレギュラーボーナス以外の遊技者にとって有利な遊技状態（例えばアシストタイムや、特別遊技状態の発生確率が通常確率から高確率に変動する確率変動状態）の発生を特定可能な確変信号，使用されたメダル数を特定可能なアウト玉信号，及び払い出されたメダル数を特定可能なセーフ玉信号の各種の信号が出力される。
【００２５】
玉貸ユニットＵは、パチンコ台Ｐに対応して（ここではパチンコ台Ｐの左側に隣接して）設けられており、該パチンコ台Ｐと同一の接続端子に接続される。この玉貸ユニットＵは、貨幣（例えば１００円硬貨，５００円硬貨，又は１０００円紙幣）を受け付け、該受け付けた貨幣を識別し、該識別された貨幣額に相当するパチンコ玉を、玉貸ユニットＵの内部に設けられた玉払出装置から払い出して貸し出すもの（いわゆる現金ユニット）である。この玉貸ユニットＵからは、遊技関連情報として、パチンコ玉の貸出が行われた場合に、該貸出に使用された貨幣額を特定可能な現金売上信号が出力される。なお玉貸ユニットＵにて受け付けられた貨幣は、遊技島２の内部に設けられた金庫に収集されて保管される。
【００２６】
また玉貸ユニットＵは、遊技に使用可能な遊技用有価価値の大きさ（例えば残度数）を特定可能な情報が記録された記録媒体（例えばプリペイドカード）を受け付け、該受け付けた記録媒体の記録情報を読み取り、該読み取った記録情報から特定される遊技用有価価値の大きさの範囲内における所定の遊技用有価価値の大きさに相当するパチンコ玉を、パチンコ台Ｐとの間でパチンコ玉の貸出に関する信号のやり取りを行うことによりパチンコ台Ｐの内部に設けられた玉払出装置から払い出して貸し出すもの（いわゆるＣＲユニット）である。この玉貸ユニットＵからは、遊技関連情報として、パチンコ玉の貸出が行われた場合に、該貸出に使用された遊技用有価価値の大きさを特定可能なＣＲ売上信号が出力される。なお玉貸ユニットＵにて使用されるプリペイドカードは、遊技島２の端部や中央部等に設けられた販売機にて販売される。
【００２７】
なお前記遊技台がパチンコ台Ｐではなくパチスロ台である場合には、該パチスロ台に対応して玉貸ユニットＵではなくメダル貸ユニットが設けられ、このメダル貸ユニットからは、遊技関連情報として、メダルの貸出が行われた場合に、前記現金売上情報又はＣＲ売上情報が出力される。
【００２８】
以上に説明した各種の信号（遊技関連情報を含む）は、パチンコ台Ｐ及び玉貸ユニットＵから出力されて台端末１０にパラレル転送され、台端末１０でシリアル変換されて中継コンピュータ２０にシリアル転送され、中継コンピュータ２０から遊技台管理装置３０に送信される。
【００２９】
遊技台管理装置３０は、遊技台における遊技に関連して発生する遊技関連情報を管理するものである。具体的には、遊技台の台番号及び機種と対応付けて、図２に示す遊技関連情報（売上情報を含む）を管理すると共に、図３に示すように特賞履歴を管理する。この遊技台管理装置３０は、図１に示すように接続される通信部３１，制御部３２，ハードディスク３３，ディスプレイ３４，及び入力装置３５等を備えている。ここでハードディスク３３には、前記遊技関連情報（売上情報を含む）を記憶する遊技関連情報ＤＢ３３ａが設けられている。
【００３０】
通信部３１は、中継コンピュータ２０と通信可能に接続され、遊技台管理装置３０と中継コンピュータ２０との間における通信を司るものである。これにより、前述の如く、パチンコ台Ｐ及び玉貸ユニットＵにて発生した遊技関連情報が台端末１０と中継コンピュータ２０を介して遊技台管理装置３０に送信される。制御部３２は、ＣＰＵ，ＲＡＭ，ＲＯＭ等を備えるコンピュータであり、ハードディスク３３に記憶されている処理プログラムがＲＡＭを作業領域としてＣＰＵで実行されることにより、遊技台管理装置３０の全体を制御して各種の処理を行うものである。
【００３１】
ここで制御部３２は、図２に示す計算式で、遊技台における遊技に関連して発生する遊技関連情報（ここではアウト玉数，セーフ玉数，差玉数，出玉率，特賞回数，確変回数，スタート回数，特賞確率，機械割数，ベース，稼働時間，及び特賞中平均出玉数）や、遊技台における遊技に関連する売上情報（ここでは総売上，粗利益，及び粗利率）を、該遊技台毎に算出する算出手段として機能するものである。
【００３２】
また制御部３２は、ディスプレイ３４の表示画面に表示させる表示内容の制御を行う表示制御手段として機能するものでもある。この表示制御手段として機能する制御部３２は、後述する図４に示すように、前記管理している遊技台のうち、同一機種に属する遊技台に関する遊技関連情報の合計を全機種について機種別一覧として表示させる制御を行うと共に、前記管理している全体の遊技台に関する遊技関連情報の合計を表示させる制御を行う。そして、該機種別一覧を表示させる制御を行う際に、同一機種に属する遊技台の台数を含んで表示させる制御を行う。
【００３３】
また表示制御手段として機能する制御部３２は、後述する図５に示すように、後述する機種選択手段による選択結果に基づいて、該選択された機種に属する遊技台に関する遊技関連情報の詳細を表示させる制御を行う。そして、その際に、該選択された機種に属する遊技台に関する遊技関連情報の合計も、一画面中に表示させる制御を行うと共に、該表示された詳細と合計のうち遊技場にとって不利益となる値を区分して表示させる制御を行う。さらに表示制御手段として機能する制御部３２は、後述する図６に示すように、後述する遊技台選択手段による選択結果に基づいて、該選択された遊技台に関する遊技関連情報の詳細を表示させる制御を行う。
【００３４】
なお表示制御手段として機能する制御部３２は、前記算出手段による算出結果に基づいて、機種又は遊技台の順序を並び替えて表示させる制御も行う。また表示制御手段として機能する制御部３２は、後述するタイプ設定手段による設定に基づいて、該設定されたタイプ別に区分して該タイプに属する全体の遊技台に関する遊技関連情報の合計を表示させる制御も行う。これら表示制御手段の機能については、後述する図４〜図６の説明で詳述する。
【００３５】
遊技関連情報ＤＢ３３ａは、前記算出手段として機能する制御部３２により算出された遊技関連情報（売上情報を含む）を記憶して管理するものである。この遊技関連情報ＤＢ３３ａには、日付毎のデータテーブルが設けられており、各データテーブルには、遊技台の台番号及び機種と対応付けて、前記算出手段として機能する制御部３２により算出された遊技関連情報（売上情報を含む）が記憶される。
【００３６】
また遊技関連情報ＤＢ３３ａは、図３に示すように、後述する図６に示すグラフを表示するための特賞履歴を記憶して管理するものである。この遊技関連情報ＤＢ３３ａには、日付毎のデータテーブルが設けられており、各データテーブルには、遊技台の台番号及び機種と対応付けて、時刻，特賞回数，確変回数，差玉数，及び特賞間スタートの記憶欄が設けられている。この遊技関連情報ＤＢ３３ａでは、以下のようにして特賞履歴が記憶される。
【００３７】
まず遊技場の営業開始後において、いずれかの信号を受信した場合に、遊技開始の時刻が記憶されると共に、遊技関連情報の算出及び記憶が開始される。即ち、アウト玉信号の受信数×信号比（ここでは１０）の式でアウト玉数が算出され、セーフ玉信号の受信数×信号比（ここでは１０）の式でセーフ玉数が算出され、アウト玉数−セーフ玉数の式で差玉数が算出される。この差玉数がプラスであれば遊技場側の利益となり、差玉数がマイナスであれば遊技場側の不利益となる。またスタート信号の受信数がカウントされてスタート回数が算出される。
【００３８】
次に特賞信号の立ち上がりを受信した場合に、特賞発生の時刻が記憶されると共に、特賞回数，その時点における差玉数，及びその時点におけるスタート回数が特賞間スタートとして記憶される。そして特賞信号の立ち下がりを受信した場合に、特賞終了の時刻が記憶されると共に、その時点における差玉数が記憶され、スタート回数のカウンタがリセットされる。また確変信号の立ち上がりを受信した場合には、確変回数の記憶欄に○印が記憶される。なお遅延回路により遅延されたアウト玉信号が継続的に受信されなくなった場合に、遊技終了の時刻が記憶されると共に、遊技関連情報の算出及び記憶が一旦停止される。
【００３９】
ディスプレイ３４は各種の情報を表示するためのものであり、例えば液晶表示器である。入力装置３５は各種の入力を受け付けるためのものであり、例えばキーボード及びマウスである。これらディスプレイ３４及び入力装置３５は、前記表示制御手段の制御により機種別一覧に表示された機種の中から希望する機種を選択するための機種選択手段，希望する遊技台を選択するための遊技台選択手段，及び遊技台のタイプを設定するためのタイプ設定手段として機能するものである。これらの機能については、後述する図４〜図６の説明で詳述する。
【００４０】
以下、図４〜図６を参照して、遊技台管理装置３０におけるディスプレイ３４の表示及び入力装置３５の操作について説明する。以下においては、該操作される当日の遊技関連情報が表示される例について説明する。
【００４１】
まず図４は遊技台管理装置３０のディスプレイ３４に表示される全体情報表示画面の一例を表す図である。遊技台管理装置３０では、図示しない管理画面上のメニューから当日モードが選択され、サブメニューの「全体情報」ボタンが操作されると、前記表示制御手段として機能する制御部３２の制御により、図４に示す全体情報表示画面がディスプレイ３４に表示される。この全体情報表示画面では、遊技関連情報ＤＢ３３ａの記憶内容に基づいて、前記管理している遊技台のうち、同一機種に属する遊技台に関する遊技関連情報の合計が全機種（ここでは２０機種）について機種別一覧として表示されると共に、前記管理している全体（ここでは２８６台）の遊技台に関する遊技関連情報の合計及び平均が表示される。なお機種別一覧と全体合計（以下「全体情報」という。）のうち、一画面中に表示しきれないものは、スクロールバーの操作によりスクロール表示される。
【００４２】
また全体情報表示画面では、機種別一覧における「台数」表示欄に、同一機種に属する遊技台の台数が表示される。これにより、台数に対する遊技関連情報の比較検討を容易に行うことができるので、遊技台の入替（例えば台数が多いのに総売上が少ない場合に入替の対象とする）や不正（例えば台数が甥のに総売上が以上に少ない場合に点検の対象とする）等の検討に役立つと共に、詳細情報を表示させる機種を選択する際の目安にもなるので、詳細情報の確認作業を敏速に行うことができる。
【００４３】
また全体情報表示画面では、全体情報のうち遊技場にとって不利益となる値（例えば粗利益，粗利率，及び差玉数がマイナスの値）が区分して表示（ここでは反転表示）される。これにより、不利益となっている機種を一目で把握できるので、遊技台全体における遊技関連情報の比較検討を敏速に行うことができる。
【００４４】
さらに全体情報表示画面では、全体情報の上部に表示されるタイプ設定タブが、前記タイプ設定手段として機能する。ここで該タイプ設定タブのうち「パチンコ台」タブが操作されると、表示制御手段として機能する制御部３２の制御により、遊技台のうちパチンコ台Ｐに関する全体情報が表示され、タイプ設定タブのうち「パチスロ台」タブが操作されると、表示制御手段として機能する制御部３２の制御により、遊技台のうちパチスロ台に関する全体情報が表示される。これにより、遊技台のタイプ別に区分されて該タイプに属する全体の遊技台に関する遊技関連情報の合計が表示され、見易い表示となるので、遊技関連情報の確認作業をさらに容易に行うことができる。
【００４５】
なお、この全体情報表示画面では、機種別一覧が機種番号順に表示されているが、サブメニューの「並び替え」ボタンを操作することにより、前記算出手段として機能する制御部３２により算出された売上情報（総売上，粗利益，又は粗利率）に基づいて、機種の順序を並び替えて表示させることができる。具体的には、総売上の多い順又は少ない順，粗利益の多い順又は少ない順，あるいは粗利率の良い順又は悪い順に、機種の順序を並び替えて表示させることができる。これにより、機種別の売上情報の順序を一目で把握できるので、遊技台の入替や不正等の検討に役立つと共に、詳細情報を表示させる機種を選択する際の目安にもなるので、該詳細情報の確認作業を敏速に行うことができる。
【００４６】
ここで全体情報表示画面では、機種別一覧における「機種」表示欄が、前記機種選択手段として機能する。ここで入力装置３５であるマウスが操作され、該「機種」表示欄に表示された機種の中から希望する機種（例えばＣＲ．ＡＡＡ）がカーソルで指されてダブルクリックされると、該希望する機種が選択されて、後述する図５に画面遷移する。
【００４７】
また全体情報表示画面では、サブメニューにおける「台番号指定」ボタンが、前記遊技台選択手段として機能する。ここで該「台番号指定」ボタンが操作されると、図示しない台番号入力ウィンドゥが全体情報表示画面上に表示され、該台番号入力ウィンドゥに希望する遊技台の台番号（例えば１番台）が入力されると、該希望する遊技台が選択されて、後述する図６に画面遷移する。
【００４８】
次に図５は遊技台管理装置３０のディスプレイ３４に表示される機種別詳細情報表示画面の一例を表す図である。遊技台管理装置３０では、前述の如く図４に示す全体情報表示画面で「機種」表示欄に表示された機種の中から希望する機種（例えばＣＲ．ＡＡＡ）が選択されると、前記表示制御手段として機能する制御部３２の制御により、図５に示す機種別詳細情報表示画面がディスプレイ３４に表示される。この機種別詳細情報表示画面では、遊技関連情報ＤＢ３３ａの記憶内容に基づいて、前記選択された機種に属する遊技台に関する遊技関連情報の詳細として、遊技台別の遊技関連情報が表示される。なお遊技関連情報の詳細のうち、一画面中に表示しきれないものは、スクロールバーの操作によりスクロール表示される。
【００４９】
また機種別詳細情報表示画面では、遊技関連情報ＤＢ３３ａの記憶内容に基づいて、前記選択された機種に属する遊技台に関する遊技関連情報の合計も、一画面中に表示されると共に、該表示された詳細と合計のうち遊技場にとって不利益となる値（例えば粗利益，粗利率，及び差玉数がマイナスの値や、出玉率が１００％を超えている値）が区分して表示（ここでは反転表示）される。これにより、不利益となっている遊技台を一目で把握できるので、同一機種内における遊技関連情報の比較検討を敏速に行うことができる。
【００５０】
なお、この機種別詳細情報表示画面では、遊技関連情報の詳細が台番号順に表示されているが、サブメニューの「並び替え」ボタンを操作することにより、前記算出手段として機能する制御部３２により算出された売上情報（総売上，粗利益，又は粗利率）に基づいて、遊技台の順序を並び替えて表示させることができる。具体的には、総売上の多い順又は少ない順，粗利益の多い順又は少ない順，あるいは粗利率の良い順又は悪い順に、遊技台の順序を並び替えて表示させることができる。これにより、遊技台別の売上情報の順序を一目で把握できるので、遊技台の入替や不正等の検討に役立つと共に、詳細情報を表示させる遊技台を選択する際の目安にもなるので、該詳細情報の確認作業を敏速に行うことができる。
【００５１】
ここで機種別詳細情報表示画面では、遊技関連情報の詳細における「台番号」表示欄が、前記遊技台選択手段として機能する。ここで入力装置３５であるマウスが操作され、該「台番号」表示欄に表示された台番号の中から希望する遊技台の台番号（例えば１番台）がカーソルで指されてダブルクリックされると、該希望する遊技台が選択されて、後述する図６に画面遷移する。
【００５２】
また全体情報表示画面では、サブメニューにおける「台番号指定」ボタンも、前記遊技台選択手段として機能する。ここで該「台番号指定」ボタンが操作されると、図示しない台番号入力ウィンドゥが機種別詳細情報表示画面上に表示され、該台番号入力ウィンドゥに希望する遊技台の台番号（例えば１番台）が入力されると、該希望する遊技台が選択されて、後述する図６に画面遷移する。
【００５３】
次に図６は遊技台管理装置３０のディスプレイ３４に表示される台別詳細情報表示画面の一例を表す図である。遊技台管理装置３０では、前述の如く図４に示す全体情報表示画面で台番号入力ウィンドゥに希望する台番号（例えば１番台）が入力されるか、図５に示す機種別詳細情報表示画面で「台番号」表示欄に表示された台番号の中から希望する台番号が選択されるか、又は図５に示す機種別詳細情報表示画面で台番号入力ウィンドゥに希望する台番号が入力されると、前記表示制御手段として機能する制御部３２の制御により、図６に示す台別詳細情報表示画面がディスプレイ３４に表示される。この台別詳細情報表示画面では、遊技関連情報ＤＢ３３ａの記憶内容に基づいて、前記選択された遊技台に関する遊技関連情報の詳細として、各遊技関連情報の内容及びグラフ化された遊技関連情報（ここでは時間帯別の特賞発生回数を表す棒グラフ，差玉数の時間変化を折線で表すスランプグラフ，ベースを表す棒グラフ，及び機械割数を表す棒グラフ）が表示される。なお、この台別詳細情報表示画面でも、遊技場にとって不利益となる値は区分して表示される。
【００５４】
なお、以上に説明した図４〜図６に示す画面において、サブメニューの「最新表示」ボタンが操作されると、遊技関連情報ＤＢ３３ａに記憶されている最新の記憶内容に基づいて遊技関連情報の内容が更新されて表示され、「全体表示」ボタンが操作されると、図４に示す全体情報表示画面に画面遷移し、「機種別詳細情報」ボタンが操作されると、図５に示す機種別詳細情報表示画面に画面遷移し、「台別詳細情報」ボタンが操作されると、図６に示す台別詳細情報表示画面に画面遷移し、「印刷開始」ボタンが操作されると、画面の表示内容が印刷され、「管理画面」ボタン又は「戻る」ボタンが操作されると、図示しない管理画面に戻る。
【００５５】
以上に説明したように、本発明に係る遊技台管理装置３０によれば、機種別の遊技関連情報の合計や遊技台全体の遊技関連情報の合計を表示した画面（図４）より、機種別の遊技関連情報の詳細（図５）や遊技台別の遊技関連情報の詳細（図６）を表示させることができるので、全体情報を把握した上で、該全体情報に対する詳細情報の比較検討を容易に行うことができる。
【００５６】
以上に説明した実施形態と対応付けて本願の請求項に係る発明を説明すると、以下のとおりである。
【００５７】
まず請求項１に係る発明は、遊技台における遊技に関連して発生する遊技関連情報を管理する遊技台管理装置（３０）であって、前記管理している遊技台のうち、同一機種に属する遊技台に関する遊技関連情報の合計を全機種について機種別一覧として表示させる制御を行うと共に、前記管理している全体の遊技台に関する遊技関連情報の合計を表示させる制御を行う表示制御手段（制御部３２）と、該表示制御手段の制御により前記機種別一覧に表示された機種の中から希望する機種を選択するための機種選択手段（ディスプレイ３４及び入力装置３５）と、希望する遊技台を選択するための遊技台選択手段（ディスプレイ３４及び入力装置３５）と、を備え、前記表示制御手段は、前記機種選択手段による選択結果に基づいて、該選択された機種に属する遊技台に関する遊技関連情報の詳細を表示させる制御を行い、前記遊技台選択手段による選択結果に基づいて、該選択された遊技台に関する遊技関連情報の詳細を表示させる制御を行うことを特徴とする遊技台管理装置である。
【００５８】
また請求項２に係る発明は、請求項１に記載した遊技台管理装置（３０）であって、前記表示制御手段（制御部３２）は、前記機種別一覧を表示させる制御を行う際に、前記同一機種に属する遊技台の台数を含んで表示させる制御を行うことを特徴とする遊技台管理装置である。
【００５９】
また請求項３に係る発明は、請求項１又は２に記載した遊技台管理装置（３０）であって、前記表示制御手段（制御部３２）は、前記機種選択手段（ディスプレイ３４及び入力装置３５）による選択結果に基づいて、該選択された機種に属する遊技台に関する遊技関連情報の詳細と、該選択された機種に属する遊技台に関する遊技関連情報の合計を、一画面中に表示させる制御を行うと共に、該表示された詳細と合計のうち遊技場にとって不利益となる値を区分して表示させる制御を行うことを特徴とする遊技台管理装置である。
【００６０】
また請求項４に係る発明は、請求項１〜３のいずれか１つに記載した遊技台管理装置（３０）であって、前記遊技台における遊技に関連する売上情報を算出する算出手段（制御部３２）をさらに備え、前記表示制御手段は、前記算出手段による算出結果に基づいて、機種又は遊技台の順序を並び替えて表示させる制御を行うことを特徴とする遊技台管理装置である。
【００６１】
さらに請求項５に係る発明は、請求項１〜４のいずれか１つに記載した遊技台管理装置（３０）であって、前記遊技台のタイプを設定するためのタイプ設定手段（ディスプレイ３４及び入力装置３５）をさらに備え、前記表示制御手段（制御部３２）は、前記タイプ設定手段による設定に基づいて、該設定されたタイプ別に区分して該タイプに属する全体の遊技台に関する遊技関連情報の合計を表示させる制御を行うことを特徴とする遊技台管理装置である。
【００６２】
最後に、本発明の変形例について説明する。
【００６３】
上記の実施形態では、各種の情報を表示するディスプレイ３４と各種の入力を受け付ける入力装置３５が別個の装置で構成される例について説明したが、これに限らず、例えば各種の情報を表示すると共に各種の入力を受け付けるタッチパネル式のディスプレイにより構成されるものでも良い。
【００６４】
上記の実施形態では、図４〜図６に示すように、当日の遊技関連情報が表示される例について説明したが、これに限らず、複数日に亘って通算された遊技関連情報が表示されるようにしても良い。
【００６５】
上記の実施形態では、図４に示すタイプ設定タブのように、タイプ設定手段（ディスプレイ３４及び入力装置３５）において、遊技台のタイプとして、パチンコ台Ｐ又はパチスロ台を設定できる例について説明したが、これに限らず、該遊技台のタイプとしては、例えばパチンコ台ＰにおけるＣＲ機又は現金機や、パチンコ台Ｐにおける第１種，第２種，又は第３種や、パチスロ台におけるＡタイプ又はＢタイプ等を設定できるようにしても良い。
【００６６】
上記の実施形態では、図４及び図５に示すように、遊技場にとって不利益となる値を区分して表示する場合に、反転表示する例について説明したが、これに限らず、該遊技場にとって不利益となる値を色分け表示したり網掛け表示したりしても良い。即ち遊技場にとって不利益となる値を区分する態様は、特に限定されない。
【００６７】
上記の実施形態では、図６に示すように、グラフ化される遊技関連情報の種類が特賞回数，差玉数，ベース，及び機械割数である例について説明したが、グラフ化される遊技関連情報の種類はこれらには限定されず、遊技場側が任意に設定可能である。
【００６８】
【発明の効果】
本発明に係る遊技台管理装置によれば、以下のような効果を奏する。
【００６９】
まず請求項１に係る遊技台管理装置によれば、機種別の遊技関連情報の合計や遊技台全体の遊技関連情報の合計を表示した画面より、機種別の遊技関連情報の詳細や遊技台別の遊技関連情報の詳細を表示させることができるので、全体情報を把握した上で、該全体情報に対する詳細情報の比較検討を容易に行うことができる。
【００７０】
また請求項２に係る遊技台管理装置によれば、機種別一覧を表示させる際に、同一機種に属する遊技台の台数を含んで表示され、台数に対する遊技関連情報の比較検討を容易に行うことができるので、遊技台の入替や不正等の検討に役立つと共に、詳細情報を表示させる機種を選択する際の目安にもなるので、詳細情報の確認作業を敏速に行うことができる。
【００７１】
また請求項３に係る遊技台管理装置によれば、選択された機種に属する遊技台に関する遊技関連情報の詳細と、該選択された機種に属する遊技台に関する遊技関連情報の合計が、一画面中に表示されると共に、表示された詳細と合計のうち遊技場にとって不利益となる値が区分して表示され、不利益となっている遊技台を一目で把握できるので、同一機種内における遊技関連情報の比較検討を敏速に行うことができる。
【００７２】
また請求項４に係る遊技台管理装置によれば、算出された売上情報の順序に基づいて機種又は遊技台の順序が並び替えられて表示され、機種別又は遊技台別の売上情報の順序を一目で把握できるので、遊技台の入替や不正等の検討に役立つと共に、詳細情報を表示させる機種や遊技台を選択する際の目安にもなるので、詳細情報の確認作業を敏速に行うことができる。
【００７３】
さらに請求項５に係る遊技台管理装置によれば、遊技台のタイプ別に区分されて該タイプに属する全体の遊技台に関する遊技関連情報の合計が表示され、見易い表示となるので、遊技関連情報の確認作業をさらに容易に行うことができる。
【図面の簡単な説明】
【図１】図１は本発明に係る遊技台管理装置を含む遊技用管理システムの一例を表す図である。
【図２】図２は遊技台管理装置の制御部にて算出される遊技関連情報（売上情報を含む）の計算式を表す図である。
【図３】図３は遊技台管理装置の遊技関連情報ＤＢに記憶される特賞履歴の一例を表す図である。
【図４】図４は遊技台管理装置のディスプレイに表示される全体情報表示画面の一例を表す図である。
【図５】図５は遊技台管理装置のディスプレイに表示される機種別詳細情報表示画面の一例を表す図である。
【図６】図６は遊技台管理装置のディスプレイに表示される台別詳細情報表示画面の一例を表す図である。
【符号の説明】
１…遊技用管理システム
２…遊技島
１０…台端末
２０…中継コンピュータ
３０…遊技台管理装置
３１…通信部
３２…制御部
３３…ハードディスク
３３ａ…遊技関連情報ＤＢ
３４…ディスプレイ
３５…入力装置
Ａ，Ｂ，Ｃ，Ｄ…接続端子
Ｐ…パチンコ台
Ｕ…玉貸ユニット
【図１】
2004121408.tif 000003
【図２】
2004121408.tif 000004
【図３】
2004121408.tif 000005
【図４】
2004121408.tif 000006
【図５】
2004121408.tif 000007
【図６】
2004121408.tif 000008